(57)【要約】【課題】車両に搭載した電池の寿命を改善するための制御プランを提示し、車両の制御に関する制御情報を変更することができる車両用電池診断システムを提供する。【解決手段】車両用電池診断システムは、車両１０の電池の使用状態を診断する車両用電池診断システムであって、電池に関する使用条件を含む診断情報を蓄積する情報蓄積部１０４と、診断情報に基づいて電池の寿命を改善するための車両の複数の制御プランを提示する制御プラン提示部１１４と、複数のプランのうちユーザに選択された制御プランに対応するように、車両１０の車載ＥＣＵ１２に保持されている車両の制御に関する制御情報を変更する情報変更部１１２とを含む。【選択図】図１
2010119223.tif 000002
【特許請求の範囲】
【請求項１】
充電可能な電池を動力源として搭載した車両の前記電池の使用状態を診断する車両用電池診断システムであって、
前記電池に関する使用条件を含む診断情報を蓄積する情報蓄積部と、
前記診断情報に基づいて、前記電池の寿命を改善するための前記車両の複数の制御プランを提示する制御プラン提示部と、
前記複数のプランのうちユーザに選択された制御プランに対応するように、前記車両に保持されている前記車両の制御に関する制御情報を変更する情報変更部とを備える、車両用電池診断システム。
【請求項２】
前記車両は、
車輪を駆動する回転電機を含み、
前記回転電機は、前記車両を制動させる際に回生電力を発生し、
前記制御情報は、
変更が可能であり、前記電池に受け入れ可能な電力の上限を定めた制御パラメータを含む、請求項１に記載の車両用電池診断システム。
【請求項３】
前記車両は、
車輪を駆動する回転電機を含み、
前記制御情報は、
変更が可能であり、前記電池から出力可能な電力の上限を定めた制御パラメータを含む、請求項１または２に記載の車両用電池診断システム。
【請求項４】
前記車両は、
前記電池の電力を使用し、前記電池の収容空間の温度を調節する温度調節装置を含み、
前記制御情報は、
変更が可能であり、前記温度調節装置の目標値を定めた制御パラメータを含む、請求項１〜３のいずれか１項に記載の車両用電池診断システム。
【請求項５】
前記車両は、
内燃機関と、
前記内燃機関から動力を受けて発電を行なう発電機と、
前記発電機の発電電力で前記電池を充電する制御をおこなう制御部とを含み、
前記制御情報は、
変更が可能であり、前記電池の充電状態の目標値を定めた制御パラメータを含む、請求項１〜４のいずれか１項に記載の車両用電池診断システム。
【請求項６】
請求項１〜５のいずれか１項に記載の車両用電池診断システムに接続可能に構成され、前記車両の制御に関する制御情報を変更可能な情報記憶部を含む車両。
【発明の詳細な説明】
【技術分野】
【０００１】
この発明は、車両用電池診断システムおよび車両に関し、特に充電可能な電池を動力源として搭載した車両の電池の使用状態を診断する車両用電池診断システムおよび車両に関する。
【背景技術】
【０００２】
特開２００５−２２７１４１号公報（特許文献１）は、車両の消耗品の劣化を診断し、その診断結果を車載ディスプレイ画面に表示するシステムにおいて、診断にドライバー運転挙動の情報を加味して、消耗品の劣化度合と運転挙動とを関連付けて表示する車両診断システムを開示する。
【特許文献１】特開２００５−２２７１４１号公報
【発明の開示】
【発明が解決しようとする課題】
【０００３】
近年、環境問題に配慮して排出ガスを低減させた電気自動車やハイブリッド自動車などの車両の開発が盛んである。
【０００４】
このような車両の電池は、車両を駆動するモータのエネルギ源として搭載される。一般に、このような電池は、充電と放電とが可能な二次電池である。電気自動車の場合は充電ケーブルを使用して電池に充電を行なう。ハイブリッド自動車の場合はエンジンで車載の発電機を回して発電を行ない、その発電した電力で充電を行なう。なお電気自動車やハイブリッド自動車の双方において車両を減速させる際には、駆動用モータにおいて回生制動が行なわれ、この回生制動時に発電された電力も電池に充電される。
【０００５】
このように車両の動力源として搭載した電池は、使用により経時劣化するため寿命を有する。これは、長時間の走行により、電池の内部抵抗が上昇してセルの充放電能力（電池容量）が次第に低下していくためである。この電池の経時劣化は、運転者の運転パターンや、車両がおかれている環境によって異なる。
【０００６】
したがって、車両を個別に電池の充放電に関する制御を最適化することにより電池の寿命を延ばすことができる可能性がある。
【０００７】
電池も消耗品の一種であり、上記の特開２００５−２２７１４１号公報に開示された車両診断システムの適用が考えられるが、このシステムでは、車両診断後にユーザが何をすべきか、どのような改善案があるのかがわかりにくい。ユーザにどのような電池寿命の改善案があるのかをわかりやすく提示することが望まれる。
【０００８】
この発明の目的は、車両に搭載した電池の寿命を改善するための制御プランを提示し、車両の制御に関する制御情報を変更することができる車両用電池診断システムおよびその車両用電池診断システムによって制御情報が変更可能に構成された車両を提供することである。
【課題を解決するための手段】
【０００９】
この発明は、要約すると、充電可能な電池を動力源として搭載した車両の電池の使用状態を診断する車両用電池診断システムであって、電池に関する使用条件を含む診断情報を蓄積する情報蓄積部と、診断情報に基づいて、電池の寿命を改善するための車両の複数の制御プランを提示する制御プラン提示部と、複数のプランのうちユーザに選択された制御プランに対応するように、車両に保持されている車両の制御に関する制御情報を変更する情報変更部とを備える。
【００１０】
好ましくは、車両は、車輪を駆動する回転電機を含む。回転電機は、車両を制動させる際に回生電力を発生する。制御情報は、変更が可能であり、電池に受け入れ可能な電力の上限を定めた制御パラメータを含む。
【００１１】
好ましくは、車両は、車輪を駆動する回転電機を含む。制御情報は、変更が可能であり、電池から出力可能な電力の上限を定めた制御パラメータを含む。
【００１２】
好ましくは、車両は、電池の電力を使用し、電池の収容空間の温度を調節する温度調節装置を含む。制御情報は、変更が可能であり、温度調節装置の目標値を定めた制御パラメータを含む。
【００１３】
好ましくは、車両は、内燃機関と、内燃機関から動力を受けて発電を行なう発電機と、発電機の発電電力で電池を充電する制御をおこなう制御部とを含む。制御情報は、変更が可能であり、電池の充電状態の目標値を定めた制御パラメータを含む。
【００１４】
この発明は、他の局面においては、上記いずれかの車両用電池診断システムに接続可能に構成され、車両の制御に関する制御情報を変更可能な情報記憶部を含む車両である。
【発明の効果】
【００１５】
本発明によれば、ユーザがどのような改善案があるのかがわかりやすく示され、車両の性能をその改善案に合わせて変更することが可能となる。
【発明を実施するための最良の形態】
【００１６】
以下、本発明について図面を参照して詳しく説明する。なお、図中同一または相当部分については同一の符号を付して詳細な説明は繰返さない。
【００１７】
図１は、本実施の形態の車両用電池診断システムの概略構成を示すブロック図である。
図１を参照して、車両１０を使用するユーザがディーラ等の点検・修理業者に車両を持参する。車両１０は、電池診断部１０２に接続される。電池診断部１０２は、車両１０のバッテリの状態を測定しまたは車両のＥＣＵが測定していた結果を読出して診断を行ない、その診断結果を診断結果データベース１０４Ａに保存する。
【００１８】
ユーザは、端末１１０Ａを操作し診断結果をデータベース１０４Ａから読出して、端末１１０Ａの画面に表示させる。ディーラ等の点検・修理業者は、端末１１０Ｂを操作して異常セルやモジュールの判定結果のみならず特性を含んだ情報をデータベース１０４Ａから呼出して端末１１０Ｂの画面に表示させる。またディーラ等の点検・修理業者は、端末１１０Ｃを操作して、データベース１０４Ａに保存された診断結果に基づいて、バッテリの一部のモジュールを交換した際の余寿命を算出させそれが保存されたデータベース１０４Ｂにアクセスして余寿命判定結果を端末１１０Ｃの画面に表示させる。また診断結果はメーカのデータベース２０２にも転送されメーカの技術者は端末２０４を操作してその内容を調べることもできる。
【００１９】
またメーカでは、劣化が進んだ電池モジュールの余寿命を延ばすための制御パラメータがデータベース２３に管理されている。管理データが端末２０４から入力され、データベース２０２に保存されている。ディーラ等の点検・修理業者は、端末１１０Ｃからメーカのデータベース２０２に現状の電池モジュールの余寿命を延ばすための制御パラメータの問合せを行ない、対応する制御パラメータを含む情報がデータベース２３から選択され、ディーラの端末１１０Ｃに送信される。ディーラ等の点検・修理業者は、端末１１０Ｃがらメモリカードなどに受信した制御パラメータを書き込み、それを車両に現在保存されている制御パラメータと置換する。すると余寿命を延ばすことができ、たとえば、次回の車検日まで電池を交換しないで済ますことができる。
【００２０】
図２は、本実施の形態の車両用電池診断システム１００の構成を示したブロック図である。
【００２１】
図２を参照して、車両用電池診断システム１００は、ユーザの車両１０に接続し、車両に搭載された電子の診断を行なうとともに、その電池の寿命を改善するため制御プランを提示し、車両の制御情報を変更することができるものである。
【００２２】
車両用電池診断システム１００は、車両１０に接続するための接続部１０１と、接続部１０１を経由して車両１０の電池に電気的に接続され、電池の診断を行なう電池診断部１０２と、電池診断部１０２が診断した電池に関する診断情報を蓄積する情報蓄積部１０４とを含む。情報蓄積部１０４として、たとえばハードディスクドライブ装置や、不揮発型メモリなどを使用することができる。
【００２３】
車両用電池診断システム１００は、さらに、情報蓄積部１０４に蓄積された診断情報に基づいて、電池の寿命を改善するための車両の複数のプランを提示する制御プラン提示部１１４と、制御プラン提示部１１４が提示した複数の制御プランをユーザに表示するための表示部１１０と、ユーザが表示された複数の制御プランのうちいずれを選択するかを操作する操作入力部１０８と、複数のプランのうちユーザに選択された制御プランに対応するように、車両に保持されている車両の制御に関する制御情報を変更する情報変更部１１２とを含む。
【００２４】
情報変更部１１２および制御プラン提示部１１４は、たとえばコンピュータのような１つの制御装置１０６で実現することができる。また表示部１１０および操作入力部１０８は、タッチパネル付きの液晶ディスプレイなどで実現することができる。
【００２５】
なお、電池診断部１０２と制御装置１０６とを別々に情報蓄積部１０４に接続できるように分離可能としてもよい。
【００２６】
図３は、図２に示した車両１０の構成を示す回路図である。
図３を参照して、車両１０は、車両用電池診断システム１００の接続部１０１を介して電池診断部１０２および情報変更部１１２に接続可能に構成される。
【００２７】
車両１０は、駆動輪２２と、モータジェネレータＭＧ１，ＭＧ２と、動力分割機構２５と、エンジン２４と、インバータ２９と電池１１とを含む。電池１１は、モータジェネレータＭＧ１，ＭＧ２を駆動制御するインバータ２９に電力を供給する。
【００２８】
車両１０は、さらに、電圧センサ４２と、電流センサ４３と、電池ＥＣＵ４４と、車載ＥＣＵ１２と、補機電源２８とを含む。
【００２９】
電池１１の電圧値は電圧センサ４２で計測され、電流値は電流センサ４３で計測されて電池ＥＣＵ４４に送られる。電池ＥＣＵでは、電流値や電圧値にもとづいて電池１１の充電状態（ＳＯＣ：Ｓｔａｔｅ  Ｏｆ  Ｃｈａｒｇｅ）が算出される。
【００３０】
電池診断部１０２は車両１０と接続されて電池の診断を行なう。まず、車両１０内部の補機電源２８が電池診断部１０２に電源ケーブル１７により接続される。この接続により寿命を判定する車両側から電池診断部１０２へ定格電流が与えられる。つまり、電池診断部１０２はその内部に電源を有さなくてもよく、簡易な装置とすることができる。
【００３１】
次に、電池診断部１０２は電池１１の各モジュール１６の正極端子１４および負極端子１５に対して検査ケーブル１８によって接続される。この接続により、電池１１の各モジュール１６の電圧値が測定される。ただし、補機電源２８からの電源供給によると車両１０の燃費が低下するため、別途外部電源（図示せず）を用いてもよい。
【００３２】
車両１０は、ハイブリッド自動車である例を図示したが、電気自動車であっても良い。また、車両１０は、外部から電池１１を充電可能に構成したプラグイン充電可能なハイブリッド車両であっても良い。
【００３３】
動力分割機構２５は、エンジン２４、モータジェネレータＭＧ１，ＭＧ２の回転軸に接続されている。そして３つの回転軸のうちいずれか２つが決定されると他の１つは強制的に回転速度が定まる。たとえば動力分割機構２５は、３つの入力軸を有するプラネタリギヤ（遊星歯車機構）が好適に用いられる。モータジェネレータＭＧ２の回転軸は駆動輪２２に減速ギヤなどによって接続されており、主として駆動輪２２を駆動するモータとして動作する。また駆動輪２２に対して制動力を働かせる場合には、モータジェネレータＭＧ２は回生電力を発生する。
【００３４】
モータジェネレータＭＧ１は主としてエンジンの動力を用いて発電を行なう発電機として動作する。モータジェネレータＭＧ１で発電された電力はインバータ２９を経由してモータジェネレータＭＧ２に供給されたり、電池１１に充電されたりする。
【００３５】
車載ＥＣＵ１２は、インバータ２９およびエンジン２４に対して制御を行なう。この車載ＥＣＵ１２の内部には制御パラメータがメモリ１３などに記憶されており、そのパラメータは情報変更部１１２によって書換えられることが可能に構成されている。
【００３６】
図４は、図２の車両用電池診断システム１００において実行される制御を説明するためのフローチャートである。
【００３７】
図２、図４を参照して、まずステップＳ１において情報蓄積部１０４に蓄積されていた診断結果が制御プラン提示部１１４に読出される。この診断結果には、電池がどのように使われていたかを示す情報が含まれている。このため図３の車載ＥＣＵ１２は、ユーザの使用した履歴を集計して保存しており、電池診断部１０２によってこの使用履歴が診断結果として読出される。
【００３８】
続いて、ステップＳ２において制御プラン提示部１１４は、診断結果に基づいて電池の寿命を改善するための寿命改善プラン（複数の制御プランや車両管理プランを含むもの）を作成する。
【００３９】
続いてステップＳ３においてプラン提示者がユーザ、ディーラの社員、メーカのいずれであるのかが判断される。これは、車両用電池診断システムごとに、予めユーザ用とかディーラ用とか個別にその機器に登録されていてもよいし、表示部１１０で問合せることによって判断してもよい。
【００４０】
ステップＳ３においてプラン提示者がユーザであると判断された場合には、ステップＳ４に処理が進みユーザ向け画面が表示される。
【００４１】
図５は、図４のステップＳ４で表示されるユーザ向け画面の表示例を示した図である。
図５を参照して、電池の使い方の診断結果として、「１ブレーキング」、「２走行スタート」、「３車室内温度設定」、「４充電方法」、および「５長期の駐車」の５項目が表示されている。そして項目「１ブレーキング」に関して、ユーザの使い方が「あなたの使い方」として「やや急です」と表示される。これに対応してお勧めの使い方が「ゆっくり長め」、「かなりゆっくり」のいずれかが選択されて表示される。寿命を改善するためのお勧めの使い方を車両用電池診断システムが選択してどれか１つを表示する（例えば、図５のブレーキングなら「ゆっくり長め」、「かなりゆっくり」のどちらが寿命改善に最適かをシステムが判断して選択する。）。
【００４２】
同様に、項目「２走行スタート」に対して「あなたの使い方」が「やや急です」と表示され、お勧めの使い方として「ゆっくり長め」、「かなりゆっくり」のいずれかが選択可能に表示されている。また項目「３車室内温度設定」に対して「あなたの使い方」が「やや高いです」として表示され、お勧めの使い方として「少し低めに」、「かなり低めに」が選択可能に表示されている。項目「４充電方法」に対しては、「あなたの使い方」が「毎日満充電です」と表示され、お勧めの使い方として「１週間に一度満充電、毎日はＳＯＣ７０％」、「１ヶ月に一度満充電、毎日はＳＯＣ７０％」のいずれかが選択されて表示される。
【００４３】
項目「５長期の駐車」としてはあなたの使い方は「過去に６ヶ月以上パーキングあり」と表示され、お勧めの使い方は「長期駐車やや控えめ」、「長期駐車かなり控えめ」のいずれかが選択されて表示される。
【００４４】
なお、項目「６その他（追加登録項目）」は、項目１〜５以外にも項目を設けることができることを示し、たとえば、将来的に管理項目が増加したときに追加することが可能な領域が予め確保されていることを示している。
【００４５】
このように、ユーザ向け画面には、数値などはあまり表示されず、ユーザがわかりやすい表現が使用されている。
【００４６】
なお、ユーザの使い方については、車載ＥＣＵにおいて統計処理がなされており、診断結果として処理結果が送信され、その結果に基づいて表示が行なわれる。
【００４７】
再び図４を参照して、ステップＳ３においてプラン提示者がディーラ社員であると判断された場合には、ステップＳ３からステップＳ５に処理が進み、ディーラ向け画面が表示される。
【００４８】
図６は、図４のステップＳ５で表示されるディーラ向け画面の表示例を示した図である。
【００４９】
図６を参照して、項目「１ブレーキ条件」として、現状の使い方が「６０ｋｍ→０ｋｍ  ３秒、１００ｋｍ→０ｋｍ  ５秒」として数値で表示され、お勧めの使い方として「６０→０  ５秒、１００→０  ７秒可能」、「６０→０  ６秒、１００→０  ９秒」のいずれかが選択されて表示される。
【００５０】
項目「２走行スタート条件」として、速度０から６０ｋｍまで加速するのに４秒かかり、速度０から１００ｋｍまで加速するのに７秒かかることが示され、お勧めの使い方として「０→６０  ６秒、０→１００  ９秒」、「０→６０  ７秒、０→１００  １０秒」のいずれかが選択されて表示される。
【００５１】
項目「３電池パック温度条件」として、時速６０ｋｍで定常走行した場合には３５℃であり、時速１００ｋｍで定常走行した場合には４０℃であることが示されている。またお勧めの使い方として「６０ｋｍ  ３３℃、１００ｋｍ  ３８℃」、「６０ｋｍ  ３０℃、１００ｋｍ  ３５℃」のいずれかが選択されて表示される。
【００５２】
項目「４充電条件」としては、現状の使い方として「Ｄａｉｌｙ  ＳＯＣ１００％」と表示され、お勧めの使い方として「ＳＯＣ１００％１Ｗｅｅｋ、Ｄａｉｌｙ  ＳＯＣ７０％」、「ＳＯＣ１００％１Ｍｏｎｔｈ、Ｄａｉｌｙ  ＳＯＣ７０％」のいずれかが選択されて表示される。
【００５３】
項目「５パーキング条件」としては、現状の使い方として「１年以上  １回、６月〜１年  ２回」と表示され、お勧めの使い方としては「１年以上  ０回、６月〜１年  ２回」、「１年以上  ０回、６月〜１年  １回」いずれかが選択されて表示される。
【００５４】
ブレーキ条件や走行スタート条件は、電池から出力する電力の上限値（Ｗｏｕｔ）および電池に充電する電力の上限値（Ｗｉｎ）が関連する。電池パック温度条件は、車室内のエアコンの温度設定によって、電池パックの温度がどのように影響を受けているかを示している。また充電条件は、通常の走行時のモータジェネレータＭＧ１による充電や、帰宅時にプラグイン充電などによって満充電になる頻度がどれぐらいであるかが表示されている。またパーキング条件としては、長期の駐車（車両を起動しなかった期間）がどれぐらいの頻度であるかが示されている。いずれもユーザの電池の使用法に関連のある診断結果である。
【００５５】
なお、項目「６その他（追加登録項目）」は、項目１〜５以外にも項目を設けることができることを示し、たとえば、将来的に管理項目が増加したときに追加することが可能な領域が予め確保されていることを示している。
【００５６】
再び図４を参照して、ステップＳ３においてプラン提示者がメーカ社員であると判断された場合には、ステップＳ３からステップＳ６に処理が進み、メーカ向け画面が表示される。
【００５７】
図７は、図４のステップＳ６で表示されるメーカ向け画面の表示例を示した図である。
図５ではユーザ向け画面、図６ではディーラ向け画面を示したが、図７はメーカ向け画面の表示例である。なお、図５ユーザ向け画面・図６ディーラ向け画面の「お勧めの使い方」は、ユーザにお勧めの使い方をアドバイスするものであり、図７メーカ向け画面の「お勧めの設定」は寿命改善データベースを参照して制御パラメータの変更推奨値を表示するものである。
【００５８】
図７のメーカ向け画面では、回生・減速パラメータ、加速パラメータ、電池パック内温度パラメータ、充電パラメータ、パーキング条件の各項目が現状の設定およびお勧めの設定が数値で表示されている。
【００５９】
なお、項目「６その他（追加登録項目）」は、項目１〜５以外にも項目を設けることができることを示し、たとえば、将来的に管理項目が増加したときに追加することが可能な領域が予め確保されていることを示している。
【００６０】
再び図４を参照して、ステップＳ４，Ｓ５，Ｓ６のいずれかにおいてユーザ，ディーラ，メーカ向けのいずれかの画面においてプランの選択がなされた場合には、ステップＳ７からステップＳ８に処理が進む。ステップＳ８では、制御パラメータの変更や車両管理変更のメリットおよびデメリットが画面に表示され、ステップＳ９において本当に変更するか否かを確認する。
【００６１】
ステップＳ９で変更する旨の指示が与えられた場合には、ステップＳ１０に処理が進み、車両の制御パラメータの変更が行なわれる。この変更は、図２の情報変更部１１２によって実行される。その後ステップＳ１１に処理が進み制御が終了となる。
【００６２】
一方ステップＳ７においてプランの選択がなかった場合（たとえば「戻る」のメニューが選択されたなど）やステップＳ９で変更しない旨の指示が与えられた場合には、ステップＳ１１においてフローチャートの処理が終了する。
【００６３】
図８は、制御パラメータの変更の一例として、電池の入出力可能な許容出力の制限値を変更するマップを示した図である。
【００６４】
図８に示すように、電池が新しい場合（新車納入時）は電池から出力可能な許容出力の上限値はマップＷｏｕｔ１で示される。同様に充電可能な上限値はマップＷｉｎ１で示される。ここで、上限値とはゼロからどれだけ離れるか（大きさ）をいい、実際は充電側は負の値である。
【００６５】
これに対し電池の劣化が進み、同様な上限値を適用していては寿命が短くなる場合には、電池の出力側の制限値はマップＷｏｕｔ２，Ｗｏｕｔ３に変更される。また充電側（回生・減速パラメータ）は、マップＷｉｎ２，Ｗｉｎ３に変更される。
【００６６】
このように、出力制限マップを寿命改善のために厳しくすることにより、バッテリの余寿命がたとえば１．１倍〜１．２倍に改善する選択をすることができる。
【００６７】
最後に、本実施の形態の車両用電池診断システムについて図面を参照して総括する。図２、図３に示すように、本実施の形態の車両用電池診断システムは、充電可能な電池１１を動力源として搭載した車両１０の電池１１の使用状態を診断する車両用電池診断システムであって、電池１１に関する使用条件を含む診断情報を蓄積する情報蓄積部１０４と、診断情報に基づいて電池１１の寿命を改善するための車両の複数の制御プランを提示する制御プラン提示部１１４と、複数のプランのうちユーザに選択された制御プランに対応するように、車両１０の車載ＥＣＵ１２に保持されている車両の制御に関する制御情報を変更する情報変更部１１２とを含む。
【００６８】
好ましくは、図３に示すように、車両１０は、車輪を駆動するモータジェネレータＭＧ２を含む。モータジェネレータＭＧ２は、車両１０を制動させる際に回生電力を発生する。制御情報は、変更が可能であり、電池１１に受入れ可能な電力の上限を定めた制御パラメータ（Ｗｉｎ）を含む。
【００６９】
好ましくは、制御情報は、変更が可能であり、電池１１から出力可能な電力の上限を定めた制御パラメータ（Ｗｏｕｔ）を含む。
【００７０】
好ましくは車両１０は、電池１１の電力を使用し、電池１１の収容空間（車室内の座席の下など）の温度を調節する温度調節装置であるエアコン３０を含む。制御情報は、変更が可能であり、温度調節装置の目標値を定めた制御パラメータを含む。
【００７１】
好ましくは、車両１０は、エンジン２４と、エンジン２４から動力を受けて発電を行なう発電機であるモータジェネレータＭＧ１と、発電器の発電電力で電池１１を充電する制御を行なう車載ＥＣＵ１２とを含む。制御情報は変更が可能であり、電池の充電状態ＳＯＣの目標値を定めた制御パラメータ（満充電の上限ＳＯＣや、通常目標とするＳＯＣなど）を含む。
【００７２】
好ましくは、車両１０は、車両用電池診断システムに接続可能に構成され、車両１０の制御に関する制御情報を変更可能な情報記憶部であるメモリ１３を含む。このメモリ１３は、車載ＥＣＵ１２に搭載される。
【００７３】
以上説明したように、本実施の形態の電池診断システムによれば、車両ユーザがわかりやすく寿命改善プランを表示することができ、またディーラ社員やメーカ技術者に対してより詳細な情報を表示することができる。したがって車両ユーザはディーラ社員などに対して相談をすることができ、またディーラ社員などからアドバイスを受けることがやりやすくなる。そしてユーザが納得した上で車両の制御パラメータを変更するようにできる。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７５】
【図１】本実施の形態の車両用電池診断システムの概略構成を示すブロック図である。
【図２】本実施の形態の車両用電池診断システム１００の構成を示したブロック図である。
【図３】図２に示した車両１０の構成を示す回路図である。
【図４】図２の車両用電池診断システム１００において実行される制御を説明するためのフローチャートである。
【図５】図４のステップＳ４で表示されるユーザ向け画面の表示例を示した図である。
【図６】図４のステップＳ５で表示されるディーラ向け画面の表示例を示した図である。
【図７】図４のステップＳ６で表示されるメーカ向け画面の表示例を示した図である。
【図８】制御パラメータの変更の一例として、電池の入出力可能な許容出力の制限値を変更するマップを示した図である。
【符号の説明】
【００７６】
１０  車両、１１  電池、１２  車載ＥＣＵ、１３  メモリ、１４  正極端子、１５  負極端子、１６  モジュール、１７  電源ケーブル、１８  検査ケーブル、２２  駆動輪、２４  エンジン、２５  動力分割機構、２８  補機電源、２９  インバータ、３０  エアコン、４２  電圧センサ、４３  電流センサ、４４  電池ＥＣＵ、１００  車両用電池診断システム、１０１  接続部、１０２  電池診断部、１０４  情報蓄積部、１０６  制御装置、１０８  操作入力部、１１０  表示部、１１２  情報変更部、１１４  制御プラン提示部、ＭＧ１，ＭＧ２  モータジェネレータ。
【図１】
2010119223.tif 000003
【図２】
2010119223.tif 000004
【図３】
2010119223.tif 000005
【図４】
2010119223.tif 000006
【図５】
2010119223.tif 000007
【図６】
2010119223.tif 000008
【図７】
2010119223.tif 000009
【図８】
2010119223.tif 000010